(57)【要約】【課題】カメラマンの姿勢が揺れた場合でも、揺れの少ない映像を撮影し得るカメラ用支持装置を提供する。【解決手段】このカメラ用支持装置１０は、カメラ１の下部に装着されるベース３と、そのベース３の前後それぞれにカメラ１のレンズ２の中心軸ＣＬに対して直交且つ水平な支軸４、５を介して揺動可能に取付けられた二つのリンク６、７と、各リンク６、７に支軸４、５の位置よりも上部に取付けられて、各リンク６、７相互を引き合う方向に力を付勢する付勢ばね８と、各リンク６、７の下端に取付けられて、付勢ばね８で引張り方向に力を付与される肩当て用ベルト１１とを備え、カメラ１に装着した状態にあっては、肩当て用ベルト１１とベース３との間に隙間が確保され、且つ肩当て用ベルト１１を各リンク６、７に取り付けている部分１２、１３相互の間隔が、二つの支軸４、５相互の間隔よりも常に広くなっている。【選択図】図１
2008250044.tif 000002
【特許請求の範囲】
【請求項１】
カメラマンが自身の肩の上にカメラを支持するための支持装置であって、
前記カメラの下部に装着されるベースと、そのベースに基端部が枢支された一対のリンクと、これら一対のリンク相互の下端部に張り渡された可撓性の肩当て用ベルトと、その肩当て用ベルトに引張り力を付与するように前記一対のリンクに力を付勢する付勢ばねとを備え、
前記一対のリンクは、それぞれの前記基端部が、前記カメラに装着されるレンズの中心軸に対して直交且つ水平に設けられるとともに前後に離間して配置された二つの支軸のそれぞれを介してその軸回りに揺動可能に枢支されており、
前記カメラに装着した状態にあっては、前記肩当て用ベルトと前記ベースとの間に常に隙間が確保されるとともに、前記肩当て用ベルトを前記一対のリンクに取り付けている部分相互の間隔が、前記二つの支軸相互の間隔よりも常に広く確保されるように構成されていることを特徴とするカメラ用支持装置。
【発明の詳細な説明】
【技術分野】
【０００１】
本発明は、カメラマンがカメラを支持するために用いるカメラ用支持装置に係り、特に、カメラマン自身の肩の上に撮影用カメラを支持する際に、カメラマンの姿勢の揺れや振動を吸収するために好適なカメラ用支持装置に関する。
【背景技術】
【０００２】
この種のカメラ用支持装置としては、例えば特許文献１に記載の技術が知られている。特許文献１に記載の技術では、カメラ用支持装置として、テレビカメラの下部の凹み部に取り付ける肩パットが開示されている。この肩パットは、芯材をクッション材で被覆して、カメラ下部の凹み部に収まる大きさに形成されており、カメラマンの肩に当たる部分には凹みを設けている。そして、そのクッション材の表面には、ゴムを被覆することによってクッション性を確保するとともに、表面を滑り難くすることで、カメラマンが自身の肩の上に支持するカメラを安定させられるようになっている。また、この肩パットは、カメラ下部の凹み部に収まる大きさなので、撮影をしない時はそのまま平坦な場所に置くことができるようになっている。
【０００３】
また、他のカメラ用支持装置として、テレビカメラに用いられる振動吸収装置が知られている（例えば特許文献２参照）。特許文献２に記載の技術では、カメラ、モニター、および、そのカメラとモニターとを支持する機体から構成されるカメラユニットと、そのカメラユニットの重心位置より僅かに上で、機体の軸方向に対して直交且つ垂直に設けられた二つの支軸に対して揺動可能であり、更に、機体の支軸に対して回転可能に取り付けられて、平行リンクおよびばねを組み合わせた複数のユニットからなるアームと、そのアームを鉛直軸に対して揺動可能に取り付けてカメラマンの体に固定するためのベストと、を備えて構成される振動吸収装置が開示されている。
【特許文献１】特開平８−２７５０３７号公報
【特許文献２】米国特許第４０１７１６８号公報
【発明の開示】
【発明が解決しようとする課題】
【０００４】
しかしながら、例えば特許文献１に開示される肩パットは、テレビカメラ下部の凹み部に取り付けてカメラマンの肩で直に支持するので、例えばカメラマンが立った姿勢で撮影をする場合には、肩の前後方向の僅かな揺れが、そのままカメラで撮影した映像の上下方向の揺れになる。そのため、望遠で遠くの被写体を撮影するときに、映像が揺れないように撮影することは困難である。さらに、カメラマンが歩いて移動しながら撮影を行う場合には、芯材をクッション材で被覆してはいるものの、肩の上下の大きな動きに対し肩パットのクッション部は、そのタワミ量が肩の上下動に対し比較的に微小である。そのため、映像の揺れを抑える程の十分な効果は期待できない。
【０００５】
一方、特許文献２に開示されるような、リンクおよびばねを組み合わせて構成される振動吸収装置では、振動を吸収する効果は高いものの、装置全体の重量が大きいため、長時間の撮影や、報道の撮影のように機動性が求められる撮影現場では使用することが困難であり、なおかつ脱着に手間が掛かるという問題点があった。
そこで、本発明は、このような問題点に着目してなされたものであって、比較的に軽量であり、カメラマンの肩の動きをカメラに直接伝えることを防止または抑制し、さらに、カメラマンの姿勢が前後に揺れても、揺れの少ない映像を撮影可能であり、撮影終了時には速やかに平坦面上に置くことができるカメラ用支持装置を提供することを目的としている。
【課題を解決するための手段】
【０００６】
上記課題を解決するために、本発明は、カメラマンが自身の肩の上にカメラを支持するための支持装置であって、前記カメラの下部に装着されるベースと、そのベースに基端部が枢支された一対のリンクと、これら一対のリンク相互の下端部に張り渡された可撓性の肩当て用ベルトと、その肩当て用ベルトに引張り力を付与するように前記一対のリンクに力を付勢する付勢ばねとを備え、前記一対のリンクは、それぞれの前記基端部が、前記カメラに装着されるレンズの中心軸に対して直交且つ水平に設けられるとともに前後に離間して配置された二つの支軸のそれぞれを介してその軸回りに揺動可能に枢支されており、前記カメラに装着した状態にあっては、前記肩当て用ベルトと前記ベースとの間に常に隙間が確保されるとともに、前記肩当て用ベルトを前記一対のリンクに取り付けている部分相互の間隔が、前記二つの支軸相互の間隔よりも常に広く確保されるように構成されていることを特徴としている。
【０００７】
本発明に係るカメラ用支持装置によれば、カメラに装着した状態にあっては、肩当て用ベルトとベースとの間に常に隙間が確保されているので、例えばカメラマンが歩きながら撮影をする場合には、肩当て用ベルトに引張り力を付与する付勢ばねの力によってカメラの重量が相殺され、肩の上下方向の振動をカメラに伝えることを防止または抑制することができる。
【０００８】
また、肩当て用ベルトを一対のリンクに取り付けている部分相互の間隔が、一対のリンクを枢支している、二つの支軸相互の間隔よりも常に広くなっているので、一対のリンクは、カメラマンの肩の前後方向への動きに応じて、カメラマンの肩に対してカメラが前方に移動するときには、前側リンクが起きて後側リンクが伏せるように揺動し、カメラマンの肩に対してカメラが後方に移動するときには、後側リンクが起きて前側リンクが伏せるように揺動する。したがって、カメラマンが立った姿勢で撮影する場合には、カメラマンの肩が前後に動くと、ベースの前後一対のリンクが揺動してカメラに前後方向の力が加わることを防止することができる。
【０００９】
つまり、肩当て用ベルトを一対のリンクに取り付けている部分相互の間隔が、一対のリンクをそれぞれ枢支する、二つの支軸相互の間隔よりも常に広くなるように構成することで、肩に対してカメラが前に移動すると、カメラのレンズ中心軸の前側および後側それぞれのリンクは、前側のリンクが起きて後側のリンクが伏せるため、カメラのレンズの中心軸は上を向き、逆に、肩に対してカメラが後ろに移動すると、前後一対のリンクは、後側のリンクが起きて前側のリンクが伏せるため、カメラのレンズの中心軸は下を向く。この動きは、カメラマンの上体の傾きに対して逆の動きとなる。そのため、カメラのレンズの揺動を防止または抑制することができるのである。
【００１０】
そして、本発明に係るカメラ用支持装置は、ベース、二つの支軸、一対のリンク、肩当て用ベルトおよび付勢ばね等から構成されているので、例えば上記特許文献２に記載の技術に比べて、その構成が簡素であり、装置の質量を比較的に小さくすることができる。そのため、持ち運びも容易である。また、付勢ばねの力によって肩当て用ベルトに引張り力が付与されているので、このカメラ用支持装置をカメラマンの肩から外した際には、二つのリンクの下方が前後方向に広がる。そのため、この広がった状態の一対のリンクを脚として、平坦な場所に置くこともできる。
【発明の効果】
【００１１】
上述のように、本発明によれば、比較的に軽量であり、カメラマンの肩の動きをカメラに直接伝えることを防止または抑制し、さらに、カメラマンの姿勢が前後に揺れても、揺れの少ない映像を撮影可能であり、撮影終了時には速やかに平坦面上に置くことができるカメラ用支持装置を提供することができる。
【発明を実施するための最良の形態】
【００１２】
以下、本発明に係るカメラ用支持装置の一実施形態について、図面を適宜参照しつつ説明する。なお、図１は、本発明に係るカメラ用支持装置の一実施形態の説明図であり、同図は、カメラに装着した状態での断面図を示している。
図１に示すように、このカメラ用支持装置１０は、板状のベース３を備えており、このベース３上にカメラ１の下部が載置され、さらに、止めねじ（不図示）によって着脱可能に装着されるようになっている。なお、同図に示すカメラ１にはレンズ２が装着されている。なおまた、同図の符号Ｇはレンズ２を含むカメラ１の重心位置である。
【００１３】
このベース３には、その中央部分に開口部３ａが形成されている。そして、この開口部３ａを同図紙面奥行き方向に跨いで、二つの支軸としての後側支軸４と前側支軸５とがレンズ２の中心軸ＣＬの前側および後側それぞれに設けられている。これら後側支軸４と前側支軸５は、カメラマンの肩の前後に配置する上で必要な所定の間隔を隔てて設けられており、各軸の軸線は、中心軸ＣＬに対して直交且つ水平に配置されている。そして、ベース３には、これら後側支軸４および前側支軸５を介して、一対のリンクとしての後側リンク６および前側リンク７それぞれの基端部が、各軸まわりに揺動可能に枢支されている。
【００１４】
これら一対の、後側リンク６および前側リンク７は、このカメラ用支持装置１０をカメラマンの肩の上で支持した状態でのカメラマンの肩の中心を通る垂直軸線ＫＣに対して左右対称に配置されている。また、これら一対のリンク６、７は、左右対称形状であり、垂直軸線ＫＣ側を向く面が凹となる湾曲形状に形成されている。さらに、これら一対のリンク６、７の湾曲形状凸側の面の上部には、各支軸４、５よりも上方の位置に張り出したばね掛け６ａ，７ａがそれぞれに設けられている。そして、これらばね掛け６ａ，７ａには、一本の付勢ばね８が取付けられている。
【００１５】
この付勢ばね８は、円筒コイルばねであり、その円筒状のコイル部分は、カメラ１下部の凹み部１ａ内に収まるように配置されている。そして、この付勢ばね８は、後側リンク６と前側リンク７の上端同士を引き寄せる方向に力を付勢するようにばね掛け６ａ，７ａ相互に掛け渡されている。さらに、一対の、後側リンク６および前側リンク７の下端部には、帯状の部材の端部を固定可能に構成された、ベルト取付け部後１２およびベルト取付け部前１３がそれぞれに設けられており、これらベルト取付け部後１２およびベルト取付け部前１３に、可撓性をもつ帯状の肩当て用ベルト１１が張り渡されている。
【００１６】
ここで、このカメラ用支持装置１０は、同図に示すカメラ１に装着した状態にあっては、付勢ばね８によって一対のリンク６、７の上端同士が引き寄せられることで、肩当て用ベルト１１とベース３との間には、対向方向に広い隙間Ｓ１が確保されるようになっている。また、肩当て用ベルト１１を一対のリンク６、７に取り付けている部分相互の間隔Ｋ１は、付勢ばね８の力によって肩当て用ベルト１１に引張り方向に力が付与されているため、一対のリンク６、７相互の下方が、二つの支軸４、５相互の間隔ＺＫよりも広く前後方向に広がるようになっている。
【００１７】
このとき、肩当て用ベルト１１が張りきらないようにしておくことで、ベース３の開口部３ａ内面および後側リンク６の湾曲形状凸側の面、並びに、ベース３の開口部３ａ内面および前側リンク７の湾曲形状凸側の面が相互に当接した状態となり、この当接した状態が保持されるようになっている。また、このとき、後側リンク６下端のベルト取付け部後１２、および、前側リンク７下端のベルト取付け部前１３は、カメラ１下面に対する高さ方向の位置が相互に同じ位置になるように設定されている。これにより、同図に示すように、この状態での一対のリンク６、７を脚として、平坦面ＧＬ上に、このカメラ用支持装置１０を取り付けたままの状態のカメラ１を置くことができるようになっている。
【００１８】
次に、このカメラ用支持装置１０をカメラマンの肩の上で支持した状態について説明する。なお、図２は、カメラ用支持装置を装着したレンズ２付きのカメラ１を、カメラマンの肩の上で支持した状態を示す断面図である。
同図に示すように、カメラマンが自身の肩の上でこのカメラ用支持装置１０を装着したレンズ２付きのカメラ１を支持したときには、カメラ１およびレンズ２の荷重が肩当てベルト１１に懸かる。ここで、このカメラ用支持装置１０は、同図に示す肩の上での支持状態にあっては、肩当て用ベルト１１とベース３との間には、付勢ばね８の力によってカメラ１およびレンズ２の荷重が相殺され、対向方向に隙間Ｓ２が確保されるように構成されている。
【００１９】
そのため、肩当てベルト１１は同図に示すように肩に沿ってたわみ、付勢ばね８によって付勢された力に抗して、ベルト取付け部後１２とベルト取付け部前１３を引き寄せながら重力に対してバランスする位置で隙間Ｓ２が確保されて止まる。また、このときの肩当て用ベルト１１を一対のリンク６、７に取り付けている部分相互の間隔Ｋ２は、一対のリンク６、７相互の下方が各支軸４、５相互の間隔ＺＫよりも広く前後方向に広がった位置で留まるようになっている。
【００２０】
次に、このカメラ用支持装置をカメラマンの肩の上で支持した状態のときに、カメラマンの姿勢が前傾または後傾した状態について説明する。なお、図３は、カメラ用支持装置を装着したカメラを、カメラマンの肩の上で支持した状態でカメラマンの姿勢が前傾した状態を示している。
このカメラ用支持装置１０において、カメラマンが立った姿勢で撮影を行う場合に、カメラマンの姿勢が前に傾くと、図３に示すように、カメラ１およびレンズ２を合わせた重心位置Ｇが、同図に示すようにカメラマンの肩の中心を通る垂直軸線ＫＣに対して前に移動し、レンズ２の中心軸ＣＬの向きは下方に移動しようとする。
【００２１】
このとき、後側リンク６は後側支軸４を中心に時計回りに回転し、前側リンク７は前側支軸５を中心に時計回りに回転する。ここで、後側支軸４と前側支軸５との間隔は、ベルト取付け部後１２とベルト取付け部前１３との間隔よりも狭いため、ベルト取付け部後１２を基準とした後側支軸４の高さは下がり、ベルト取付け部前１３を基準とした前側支軸５の高さは上がることになる。即ち、カメラマンがカメラを支持した状態では、ベルト取付け部後１２およびベルト取付け部前１３を互いに結んだ線と、後側支軸４および前側支軸５を互いに結んだ線とは平行であるが、カメラマンの姿勢が前に傾いたときには、ベルト取付け部後１２およびベルト取付け部前１３を互いに結んだ線に対して、後側支軸４および前側支軸５を互いに結んだ線が平行でなく、前側支軸５の部分が上向くので、これによりカメラマンの肩を基準とするレンズ２の中心軸ＣＬの向きは上を向くこととなる。
【００２２】
一方、カメラマンの姿勢が後ろに傾いたときはこの逆で、カメラ１およびレンズ２を合わせた重心位置Ｇがカメラマンの肩の中心を通る垂直軸線ＫＣに対して後ろに移動し、レンズ２の中心軸ＣＬの向きは上方に移動しようとする。
このとき、後側リンク６は後側支軸４を中心に反時計回りに回転し、前側リンク７は前側支軸５を中心に反時計回りに回転する。ここで、後側支軸４と前側支軸５との間隔は、ベルト取付け部後１２とベルト取付け部前１３との間隔よりも狭いため、ベルト取付け部後１２を基準とした後側支軸４の高さは上がり、ベルト取付け部前１３を基準とした前側支軸５の高さは下がることになる。即ち、カメラマンがカメラを支持した状態では、ベルト取付け部後１２およびベルト取付け部前１３を互いに結んだ線と、後側支軸４および前側支軸５を互いに結んだ線とは平行であるが、カメラマンの姿勢が後に傾いたときには、ベルト取付け部後１２およびベルト取付け部前１３を互いに結んだ線に対して、後側支軸４および前側支軸５を互いに結んだ線が平行でなく、前側支軸５の部分が下向くので、これによりカメラマンの肩を基準とするレンズ２の中心軸ＣＬの向きは下を向くこととなる。
【００２３】
つまり、このカメラ用支持装置１０は、カメラ１に装着した状態にあっては、肩当て用ベルト１１とベース３との間に常に隙間を確保するとともに、肩当て用ベルト１１を一対のリンク６、７に取り付けている部分であるベルト取付け部後１２とベルト取付け部前１３相互の間隔が、一対のリンク６、７を枢支する二つの支軸４、５相互の間隔よりも常に広くなるように設定することで、これにより、一対のリンク６、７が、カメラマンの肩の前後方向への動きに応じて、カメラマンの肩に対してカメラ１が前方に移動するときには、前側リンク７が起きて後側リンク６が伏せるように揺動し、カメラマンの肩に対してカメラ１が後方に移動するときには、後側リンク６が起きて前側リンク７が伏せるように揺動するようになっている。これにより、カメラマンの姿勢の前後の揺れに対してレンズ２の中心軸ＣＬの向きを補正可能になっている。
【００２４】
次に、このカメラ用支持装置１０の作用および効果について説明する。
上述したように、このカメラ用支持装置１０によれば、カメラ１に装着した状態にあっては、肩当て用ベルト１１とベース３との間に常に隙間（Ｓ１〜Ｓ２）が確保されているので、カメラマンが歩きながら撮影をする場合には、付勢ばね８の力によってカメラ１およびレンズ２の重量が相殺され、肩の上下方向の振動をカメラ１に伝えることを防止または抑制することができる。
【００２５】
すなわち、カメラマンが歩行しながら撮影を行う場合には、カメラマンの肩の位置は上下に移動することが考えられる。その際、カメラ１およびレンズ２の荷重が肩当てベルト１１に懸かると、肩当てベルト１１は図２に示すように肩に沿ってたわみ、付勢ばね８により付勢された力に抗して、ベルト取付け部後１２とベルト取付け部前１３を引き寄せながら重力に対してバランスする位置で止まる。
【００２６】
そして、カメラマンの肩が上下動する場合、カメラ１およびレンズ２は慣性力によりその位置に留まろうとするため、肩当て用ベルト１１に懸かる力は、カメラマンの肩が上に上がる場合は増大し、カメラマンの肩が下に下がる場合は減少する。
そして、肩が上に上がり、肩当て用ベルトにかかる力が増大した場合には、ベルト取付け部後１２とベルト取付け部前１３に懸かる力が増大し、後側リンク６と前側リンク７とは互いに引き寄せられるため、付勢ばね８が引っ張られる。このとき、肩当て用ベルト１１の長さは一定であるから、カメラマンの肩とベース３間の距離が減少する。
【００２７】
逆に、肩が下に下がり、肩当て用ベルトにかかる力が減少した場合には、ベルト取付け部後１２とベルト取付け部前１３に懸かる力が減少し、後側リンク６と前側リンク７を引き寄せる力が減少して開くため、付勢ばね８の引張り力が減少する。このとき、肩当て用ベルト１１の長さは一定であるから、カメラマンの肩とベース３間の距離が増大する。したがって、このカメラ用支持装置によれば、カメラマンの肩の上下動に対して、カメラ１およびレンズ２の上下動を緩和することができる。
【００２８】
さらに、このカメラ用支持装置１０によれば、肩当て用ベルト１１を一対のリンク６、７に取り付けている部分であるベルト取付け部後１２とベルト取付け部前１３相互の間隔が、一対のリンク６、７を枢支する二つの支軸４、５相互の間隔よりも常に広くなっており、これにより、一対のリンク６、７は、カメラマンの肩の前後方向への動きに応じて、カメラマンの肩に対してカメラ１が前方に移動するときには、前側リンク７が起きて後側リンク６が伏せるように揺動し、カメラマンの肩に対してカメラ１が後方に移動するときには、後側リンク６が起きて前側リンク７が伏せるように揺動するので、上述したように、カメラマンの姿勢が前後に揺れても、カメラマンの姿勢の傾きと逆方向にレンズ２の中心軸ＣＬの向きを補正することができる。したがって、揺れの少ない映像を撮影することができる。
【００２９】
また、このカメラ用支持装置１０は、ベース３、二つの支軸４、５、一対のリンク６、７、肩当て用ベルト１１および付勢ばね８等から構成されているので、例えば上記特許文献２に記載の技術に比べて、その構成が簡素であり、装置の質量を比較的に小さくすることができる。そのため、持ち運びも容易である。
また、このカメラ用支持装置１０によれば、カメラ用支持装置１０を装備したカメラ１をカメラマンの肩から外した場合、図１に示すように、肩当て用ベルト１１には肩からの力が懸からないため、後側リンク６と前側リンク７とは、付勢ばね８の力によって、後側リンク６が後側支軸４を中心として時計回りに回転し、前側リンク７が前側支軸５を中心として反時計回りに回転して、下方が広がった状態となる。
【００３０】
この下方が広がった状態において、肩当て用ベルト１１は上述のように張りきらないようにしてあり、また、ベース３および後側リンク６、ベース３および前側リンク７が相互に当接した状態で保持され、さらに、後側リンク６下端のベルト取付け部後１２、および、前側リンク７下端のベルト取付け部前１３は、カメラ１下面に対する高さ方向の位置が相互に同じ位置になるように設定されているので、撮影終了時には速やかに、この状態の一対のリンク６、７を脚として、このカメラ用支持装置１０を取り付けたままの状態のカメラ１を平坦面ＧＬ上に置くことができる。
【００３１】
以上説明したように、このカメラ用支持装置１０によれば、簡素な構成であるため比較的に軽量であり、カメラマンの肩の動きをカメラ１に直接伝えることを防止または抑制し、カメラマンの姿勢の前後方向での揺れに対してレンズ２の中心軸ＣＬの向きを補正することで、揺れの少ない映像の撮影が可能であり、撮影終了時には速やかに平坦面ＧＬ上に置くことができる。
【００３２】
なお、本発明に係るカメラ用支持装置は、上記実施形態に限定されるものではなく、本発明の趣旨を逸脱しなければ種々の変形が可能なことは勿論である。
【図面の簡単な説明】
【００３３】
【図１】本発明に係るカメラ用支持装置の一実施形態の説明図であり、同図は、カメラに装着した状態での断面図を示している。
【図２】本発明に係るカメラ用支持装置の一実施形態の説明図であり、同図は、図１のカメラ用支持装置をカメラマンの肩の上で支持した状態を示している。
【図３】本発明に係るカメラ用支持装置の一実施形態の説明図であり、同図は、図１のカメラ用支持装置をカメラマンの肩の上で支持した状態でカメラマンの姿勢が前傾した状態を示している。
【符号の説明】
【００３４】
１    カメラ
２    レンズ
３    ベース
４    後側支軸（支軸）
５    前側支軸（支軸）
６    後側リンク（リンク）
７    前側リンク（リンク）
８    付勢ばね
１０    カメラ用支持装置
１１    肩当て用ベルト
１２    ベルト取付け部後
１３    ベルト取付け部前
Ｇ    重心位置
ＣＬ    （レンズの）中心軸
ＧＬ    平坦面
【図１】
2008250044.tif 000003
【図２】
2008250044.tif 000004
【図３】
2008250044.tif 000005